(57)【特許請求の範囲】
【請求項１】
各種制御手段を具備する制御基板を収容するボックスベースと、前記ボックスベースの開口部を覆うボックスカバーと、前記ボックスベースと前記ボックスカバーとを連結するための連結手段とを具備する基板ボックスを備え、
前記連結手段は、前記ボックスベースに設けられたベース側連結部と、前記ボックスカバーに設けられたカバー側連結部とを備え、
前記ボックスベースと前記ボックスカバーとの組付け状態において、前記ベース側連結部と前記カバー側連結部とが位置合わせされることで、前記ベース側連結部及び前記カバー側連結部により有底状の凹部が形成されるとともに、前記凹部に硬化性樹脂が充填されて硬化されることで、前記ベース側連結部と前記カバー側連結部とにかけて硬化性樹脂層が形成される構成であって、
前記連結手段には、前記凹部の周縁部から前記連結手段の外周面近傍にまで延びる延長凹部が形成され、
前記連結手段のうち、当該連結手段の外周面を形成するとともに、前記凹部の内周面を形成する周壁部は、一般部と、前記延長凹部が形成されることによって前記一般部よりも薄肉に構成される薄肉部とを備え、
前記延長凹部に関しても、前記ベース側連結部と前記カバー側連結部とにかけて形成され、
前記凹部及び前記延長凹部に対して前記硬化性樹脂が充填され、硬化されることで、前記硬化性樹脂層が形成されることを特徴とする遊技機。
【請求項２】
前記延長凹部の幅は、前記一般部の厚みよりも狭く構成されていることを特徴とする請求項１に記載の遊技機。
【発明の詳細な説明】
【技術分野】
【０００１】
本発明は、パチンコ機等の遊技機に関するものである。
【背景技術】
【０００２】
遊技機の一種として、パチンコ遊技機やスロットマシン等が知られている。これらの遊技機は、ＣＰＵやＲＯＭ等の電子部品（制御手段）が実装された制御基板を備えており、当該制御基板に設けられた各制御手段によって一連の遊技が制御されている。
【０００３】
この種の遊技機においては、不正な利益を得ることを目的として、制御基板を不正に取り外して遊技内容を変更したり、リード線等により外部から不正な電気信号を制御基板に入力させたりする等、制御手段や制御基板に対しての不正行為が数多く報告されており、例えば、制御基板を基板ボックスに収納する等の各種の不正対策が検討されている（例えば特許文献１参照）。
【先行技術文献】
【特許文献】
【０００４】
【特許文献１】特開２００３−１８０９１７号公報
【発明の概要】
【発明が解決しようとする課題】
【０００５】
ところで、制御基板に関する不正行為をより確実に把握することが求められている。
【０００６】
なお、上記課題は、パチンコ機に限らず、他の遊技機にも該当する問題である。
【０００７】
本発明は、上記例示した問題点等を解決するためになされたものであり、その目的は、基板ボックスを備えた遊技機において、制御基板に関する不正行為をより確実に把握することのできる遊技機を提供することにある。
【課題を解決するための手段】
【０００８】
本発明の遊技機は、
各種制御手段を具備する制御基板を収容するボックスベースと、前記ボックスベースの開口部を覆うボックスカバーと、前記ボックスベースと前記ボックスカバーとを連結するための連結手段とを具備する基板ボックスを備え、
前記連結手段は、前記ボックスベースに設けられたベース側連結部と、前記ボックスカバーに設けられたカバー側連結部とを備え、
前記ボックスベースと前記ボックスカバーとの組付け状態において、前記ベース側連結部と前記カバー側連結部とが位置合わせされることで、前記ベース側連結部及び前記カバー側連結部により有底状の凹部が形成されるとともに、前記凹部に硬化性樹脂が充填されて硬化されることで、前記ベース側連結部と前記カバー側連結部とにかけて硬化性樹脂層が形成される構成であって、
前記連結手段には、前記凹部の周縁部から前記連結手段の外周面近傍にまで延びる延長凹部が形成され、
前記連結手段のうち、当該連結手段の外周面を形成するとともに、前記凹部の内周面を形成する周壁部は、一般部と、前記延長凹部が形成されることによって前記一般部よりも薄肉に構成される薄肉部とを備え、
前記延長凹部に関しても、前記ベース側連結部と前記カバー側連結部とにかけて形成され、
前記凹部及び前記延長凹部に対して前記硬化性樹脂が充填され、硬化されることで、前記硬化性樹脂層が形成されることを特徴としている。
【発明の効果】
【０００９】
本発明によれば、基板ボックスを備えた遊技機において、制御基板に関する不正行為をより確実に把握することができる。
【図面の簡単な説明】
【００１０】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】基板ボックスの分解斜視図である。
【図８】封印部材を示す部分斜視図である。
【図９】封印部材の分解斜視図である。
【図１０】封印部材の断面図である。
【図１１】パチンコ機の主な電気的構成を示すブロック図である。
【図１２】（ａ）は別の実施形態における封印部材の背面図であり、（ｂ）は（ａ）のＸ−Ｘ線断面図である。
【図１３】（ａ）は別の実施形態における封印部材を示す模式斜視図であり、（ｂ）は（ａ）の断面図である。
【図１４】別の実施形態における封印部材を示す断面図である。
【図１５】別の実施形態における封印部材を示す断面図である。
【図１６】別の実施形態における封印部材を示す断面図である。
【発明を実施するための形態】
【００１１】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００１２】
図３等に示すように、パチンコ機１０は、当該パチンコ機１０の外郭を構成する外枠１１を備えており、この外枠１１の一側部に内枠１２が開閉可能に支持されている。
【００１３】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１４】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１５】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００１６】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１７】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００１８】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１９】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２０】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２１】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００２２】
下皿１５の上方には上皿１９が設けられている。上皿１９は、遊技球を一旦貯留し、一列に整列させながら後述する発射手段としての遊技球発射装置（以下、単に発射装置という）７０の方へ案内する球受皿である。なお、上皿１９が遊技球で一杯になった状態では、払出される遊技球は下皿１５へと案内される。
【００２３】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２４】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００２５】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２６】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２７】
また、内枠１２（樹脂ベース３８）の前面下部、すなわち窓孔３９（遊技盤３０）の下方位置には、発射装置７０及び当該発射装置７０より発射された直後の遊技球を案内する発射レール６１が取付けられている。本実施形態では、発射装置７０としてソレノイド式発射装置を採用している。
【００２８】
次に、遊技盤３０の構成について図４を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通孔に配設され、遊技盤３０前面側から木ネジ等により取付けられている。周知の通り一般入賞口３１、可変入賞装置３２、第１契機対応ユニット３３などの各種入賞口に遊技球が入球（入賞）すると、後述する各種検出スイッチにより検出され、上皿１９（又は下皿１５）へ所定数の賞球が払い出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２９】
第１契機対応ユニット３３は、上入賞口３３ａ及び下入賞口３３ｂを備えるとともに、下入賞口３３ｂに対応して一対の開閉部材３３ｃを備えている。これにより、上入賞口３３ａが遊技球が常時入球可能な開状態となっているのに対し、下入賞口３３ｂは、開閉部材３３ｃが所定条件の成立に応じて開閉動作することにより、遊技球が入球不能な閉状態と、遊技球が入球可能な開状態とに切換わる。例えば、下入賞口３３ｂは、通常モード時には開閉部材３３ｃが開状態となり規定時間（例えば０．２秒）の経過した場合又は規定個数（例えば１個）の遊技球の入球があった場合に閉状態となる。この開閉処理は、通常モード時においては１回だけ行われる。また、上記構成に代えて、下入賞口３３ｂが、遊技球が入球困難な閉状態と、遊技球が前記閉状態より入球容易な開状態とに切換わる構成としてもよい。
【００３０】
可変表示装置ユニット３５には、第２契機対応口３４の通過をトリガとして変動表示する普通図柄表示装置４１と、第１契機対応ユニット３３（上入賞口３３ａ又は下入賞口３３ｂ）への入賞をトリガとして変動表示する特別表示装置４３と、特別表示装置４３による変動表示に合わせて変動表示する装飾図柄表示装置４２とが設けられている。
【００３１】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）する。そして、その変動表示が「○」図柄（当選図柄）で数秒間停止した場合には、第１契機対応ユニット３３が所定時間だけ作動状態となる。この普通図柄表示装置４１は、後述する主制御装置２６１によって直接的に表示内容が制御される。
【００３２】
また、普通図柄表示装置４１の変動表示中に、新たに遊技球が第２契機対応口３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３３】
特別表示装置４３は、普通図柄表示装置４１の右側方に設けられ、赤、緑、青の発光色を有する三色発光ダイオード（三色ＬＥＤ）により構成されている。そして、遊技球が第１契機対応ユニット３３に入賞する毎に色換え表示（変動表示）が行われ、変動表示が停止したときの点灯態様（点灯色）により、大当たりか否かが確定的に表示される。
【００３４】
より詳しくは、第１契機対応ユニット３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。大当たり抽選に当選した場合には、この際、赤又は緑で決定表示（例えば数秒間停止）され、特別遊技状態が発生する。特に、赤は、大当たり終了後の遊技モードが高確率モードであることを示す表示であり、緑は、大当たり終了後の遊技モードが時間短縮モードであることを示す表示である。なお、この特別表示装置４３についても、主制御装置２６１によって表示内容が直接的に制御される。
【００３５】
また、特別表示装置４３の変動表示中に新たに遊技球が第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応ユニット３３に入賞した場合、その分の変動表示についても保留される。
【００３６】
装飾図柄表示装置４２は液晶表示装置として構成されており、後述するサブ制御装置２６２及び表示制御装置４５によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００３７】
可変入賞装置３２は、通常は遊技球が入賞できない閉状態になっており、大当たり（特別遊技状態の発生）の際に、遊技球が入賞可能な開状態とされる。具体的には、規定時間（例えば２９秒）の経過又は規定個数（例えば１０個）の入賞を１ラウンド（特賞状態）として、可変入賞装置３２の大入賞口が所定回数（所定ラウンド数）繰り返し開放される。
【００３８】
また、遊技盤３０には、内レール構成部５１と外レール構成部５２とからなり、発射装置７０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００３９】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００４０】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４１】
図３に示すように、前面枠セット１４の背面側には、窓部１０１の下方において、後述する払出機構部３５２から下皿１５の排出口１６へ繋がる球通路７１が設けられている。また、内枠１２に設けられた発射レール６１とレールユニット５０（外レール構成部５２）との間には所定間隔の隙間があり、前面枠セット１４の背面側には、前記隙間より落下した遊技球を下皿１５へと案内するファール球通路７２が形成されている。これにより、仮に、発射装置７０から発射された遊技球が戻り球防止部材５３まで至らずファール球としてレール５０を逆戻りする場合には、そのファール球がファール球通路７２を介して下皿１５に排出される。
【００４２】
また、図３及び図４中の符号６７は後述する払出機構部３５２により払出された遊技球を内枠１２の前方に案内するための払出通路であり、上皿１９に通じる通路と、球通路７１ひいては下皿１５に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、球通路７１の入口側後端部によってシャッタ６８が押し開けられるようになっている。
【００４３】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００４４】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００４５】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００４６】
フレームカバー２１３の下方には裏枠セット２１５が、一般入賞口３１、可変入賞装置３２及び第１契機対応ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００４７】
また、本実施形態では、裏枠セット２１５が主制御装置２６１の取付台として機能する。より詳しくは、主制御装置２６１を搭載した基板搭載ユニット２６０が、裏枠セット２１５に対し回動可能に軸支され、後方に開放可能となっている。
【００４８】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００４９】
また、遊技盤３０には、入球手段としての一般入賞口３１等の各種入賞口に対応して、当該各種入賞口へ入球した遊技球を検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、第１契機対応ユニット３３には、上入賞口３３ａ及び下入賞口３３ｂそれぞれに対応して第１契機対応ユニットスイッチ２２４ａ，２２４ｂが設けられている。さらに、第２契機対応口３４に対応する位置には第２契機対応口スイッチ２２５が設けられている。
【００５０】
また、図示は省略するが、裏枠セット２１５には、入賞口スイッチ２２１、カウントスイッチ２２３及び第２契機対応口スイッチ２２５とケーブルコネクタを介して電気的に接続される第１盤面中継基板が設けられている。この第１盤面中継基板は、入賞口スイッチ２２１等と、制御手段としての主制御装置２６１とを中継するものであり、ケーブルコネクタを介して主制御装置２６１と電気的に接続されている。
【００５１】
これに対し、第１契機対応ユニット３３（上入賞口３３ａ又は下入賞口３３ｂ）への入球を検出する第１契機対応スイッチ２２４ａ，２２４ｂは中継基板を経ることなくコネクタケーブルを介して直接主制御装置２６１に接続されている。
【００５２】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（第２契機対応口スイッチ２２５により検出された場合を除く。）
この他、遊技盤３０の裏面には、図示は省略するが、可変入賞装置３２にて大入賞口を開放する大入賞口用ソレノイドが設けられ、第１契機対応ユニット３３にて一対の開閉部材３３ｃを開閉駆動する下入賞口用ソレノイドが設けられている。また、裏枠セット２１５には、これらソレノイドと主制御装置２６１とを中継する第２盤面中継基板（図示略）も設けられている。
【００５３】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部中継端子板２４０が設けられている。
【００５４】
外部中継端子板２４０は、遊技ホールのホールコンピュータなどへの各種情報送信を中継するためのものであり、複数の外部接続端子が設けられている。便宜上、符号は付さないが、例えば現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００５５】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板搭載ユニット２６０の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００５６】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００５７】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００５８】
裏パックユニット２０３（基板搭載ユニット２６０）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００５９】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００６０】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００６１】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている（当該基板ボックス２６３に関しては後に詳述する）。
【００６２】
加えて、カードユニット接続基板３１４は、基板ボックス３１４ａに収容されて、基板ボックス３１３ａ（発射制御装置３１２及び電源装置３１３）の背面側に固定されている。
【００６３】
なお、上記各基板ボックス３１１ａ，３１３ａ，３１４ａは透明樹脂材料等により構成されており、内部が視認可能となっている。
【００６４】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００６５】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００６６】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００６７】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００６８】
また、図４に示すように、内枠１２の前面側右下部（発射装置７０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００６９】
さて、本実施形態では、制御基板としての主制御装置２６１を収容する基板ボックス２６３に特徴がある。以下、かかる構成について、図面を参照しつつ説明する。図７は基板ボックス２６３の分解斜視図である。図８（ａ）、（ｂ）は封印部材４０１を示す部分斜視図である。図９は図８（ａ）の分解斜視図である。図１０は図８（ａ）の封印部材４０１を示す断面図である。
【００７０】
図７等に示すように、基板ボックス２６３は、ボックスベース２６３ａに対し一体的に形成されたベース側連結部４０２と、ボックスカバー２６３ｂに対し一体的に形成されたカバー側連結部４０３とを具備する連結手段としての封印部材４０１を備えている。本実施形態では、封印部材４０１は上下に所定間隔を隔てて４つ設けられている。また、本実施形態では、ボックスベース２６３ａとボックスカバー２６３ｂとを前後に当接させた状態で、ボックスベース２６３ａに対しボックスカバー２６３ｂをスライドさせることで、ボックスベース２６３ａに設けられた係止部４０５と、ボックスカバー２６３ｂに設けられた被係止部４０６とが係止状態とされ、基板ボックス２６３が組み付けられる構成となっている。
【００７１】
図８、図９に示すように、ベース側連結部４０２は後方に開口する箱状をなし、内側にベース側凹部４１１が形成されている。図８（ｂ）に示すように、４つある封印部材４０１のうち上の３つの封印部材４０１に関しては、ベース側連結部４０２の上壁部４０２ａに対して上下に貫通する開口部４１２が形成されている。一方、図８（ａ）に示すように、一番下側の封印部材４０１（封印部材４０１ａ）に関しては、前記開口部４１２は形成されていない。尚、本実施形態では、４つある封印部材４０１のうち上の３つの封印部材４０１に関しては、上壁部４０２ａが隔壁部に相当する。
【００７２】
カバー側連結部４０３は、基板ボックス２６３の組付け状態において、ベース側連結部４０２のベース側凹部４１１を閉塞する板状体として構成されている。当該カバー側連結部４０３によりベース側凹部４１１が閉塞されることで、図１０に示すように、封印部材４０１には内部空間４２１（凹部）が形成されることとなる。図８（ａ）に示すように、４つある封印部材４０１のうち一番下側の封印部材４０１ａに関しては、カバー側連結部４０３に対して、前後に貫通する開口部４３１が形成されている。一方、図８（ｂ）に示すように、上の３つの封印部材４０１に関しては、前記開口部４３１は形成されていない。また、開口部４３１の開口面積は、ベース側凹部４１１の開口面積よりも小さく構成されている。尚、本実施形態では、４つある封印部材４０１のうち一番下側の封印部材４０１ａに関しては、カバー側連結部４０３のうちベース側凹部４１１と前後に重なってベース側凹部４１１を閉塞している部位が隔壁部に相当する。
【００７３】
加えて、基板ボックス２６３の組付け状態においては、ベース側連結部４０２の左壁部（図１０では右側の壁部）に形成された段差面４１３にほぼ当接し、カバー側連結部４０３がベース側連結部４０２のベース側凹部４１１の内側に収容された状態で、カバー側連結部４０３の上辺部、下辺部、右辺部（図１０では左側の辺部）と、ベース側連結部４０２の内側面とが当接状態となっている。これにより、カバー側連結部４０３の周縁部がベース側連結部４０２によって覆われ、カバー側連結部４０３の前面（図１０では下側の面）への接触が困難となっている。
【００７４】
また、カバー側連結部４０３には、上辺部、下辺部、及び右辺部（図１０では左側の辺部）の前縁部（図１０では下側の縁部）から外方に突出する支持片部４３３が形成されている。基板ボックス２６３の組付け状態においては、支持片部４３３が、ベース側連結部４０２の内側面に形成された溝部４１５に挿通されている。これにより、カバー側連結部４０３の位置ずれを防止することができる。
【００７５】
さて、本実施形態では、４つある封印部材４０１のうち一番下側の封印部材４０１ａに関し、封印部材４０１の内部空間４２１において硬化性樹脂層４４１が形成されている。硬化性樹脂層４４１は、レーザ光等の光を照射することで硬化する光硬化性樹脂を、封印部材４０１の内部空間４２１に隙間なく充填するとともに、カバー側連結部４０３の開口部４３１にも一部充填した後、硬化させることで形成されている。このように、ベース側連結部４０２とカバー側連結部４０３とにかけて形成される硬化性樹脂層４４１により、ベース側連結部４０２とカバー側連結部４０３とが連結され（相対移動が規制され）、結果的に、基板ボックス２６３がかしめられ、主制御装置２６１が封印されることとなる。
【００７６】
尚、上記のように、カバー側連結部４０３がベース側連結部４０２の内側に収容されるとともに、カバー側連結部４０３に形成された支持片部４３３がベース側連結部４０２に形成された溝部４１５に挿通されることにより、光硬化性樹脂の注入に際して、当該光硬化性樹脂が外部に流出することを防止することができ、内部空間４２１に隙間なく光硬化性樹脂を充填させることができる。尚、段差面４１３をベース側凹部４１１の内側に向けて若干後方傾斜させてもよい。この場合、カバー側連結部４０３に形成された支持片部４３３がベース側連結部４０２に形成された溝部４１５に挿通される際に、カバー側連結部４０３が段差面４１３に摺接し、支持片部４３３が溝部４１５に押付けられるようにして、若干後方に案内される。当該構成を採用することにより、段差面４１３とカバー側連結部４０３との間に隙間が形成されるといった事態をより確実に防止することができ、より確実に光硬化性樹脂の流出を防止することができる。
【００７７】
また、ベース側連結部４０２及びカバー側連結部４０３は、それぞれボックスベース２６３ａ、ボックスカバー２６３ｂの右辺部（図７では左側の辺部）に連結された薄板状の連結片４５１ａ、４５１ｂ（破断部）を備えており、連結片４５１ａ、４５１ｂを切断することにより、比較的容易にベース側連結部４０２及びカバー側連結部４０３を基板ボックス２６３から別離させることができる。
【００７８】
尚、遊技ホールで主制御装置２６３を適正に交換する作業について簡単に説明すると、まず、硬化性樹脂層４４１が形成された一番下側の封印部材４０１ａを基板ボックス２６３から除去する。次に、ボックスカバー２６３ｂをスライドさせてボックスベース２６３ａから取外し、主制御装置２６１を交換する。続いて、ボックスカバー２６３ｂとボックスベース２６３ａとを組付け、未使用の封印部材４０１のうちのいずれかに光硬化性樹脂を充填し、硬化させる。以上のようにして、主制御装置２６１が交換され、基板ボックス２６３が再度封印されることとなる。
【００７９】
また、上記のように、ボックスベース２６３ａをパチンコ機１０から取外すことなく主制御装置２６１を交換する場合であっても、未使用の封印部材４０１に関しては、光硬化性樹脂を内部空間４２１（ベース側凹部４１１）に注入するための開口部４１２がベース側連結部４０２の上壁部４０２ａに形成されているとともに、カバー側連結部４０３には開口部４３１が形成されていないことから、光硬化性樹脂を注入する際に、当該光硬化性樹脂が封印部材４０１の内部空間４２１から外部に流出してしまうといった事態を防止することができる。従って、内部空間４２１に対して隙間なく光硬化性樹脂を充填させることができる。
【００８０】
尚、４つある封印部材４０１のうち一番下側の封印部材４０１に関しては、製造工場において主制御装置２６３を収容してボックスベース２６３ａとボックスカバー２６３ｂとを組付けた際に（基板ボックス２６３をパチンコ機１０に取付ける前に）、光硬化性樹脂を注入して硬化させることとなる。上記のように、一番下側の封印部材４０１ａはカバー側連結部４０３に開口部４３１が形成されていることから、当該封印部材４０１ａへの光硬化性樹脂の注入に際しては、ボックスベース２６３ａが下向きとなるように基板ボックス２６３を設置し、基板ボックス２６３の背面側から光硬化性樹脂を注入することができる。このため、一番下側の封印部材４０１ａとその上の封印部材４０１との間に、光硬化性樹脂を送出する送出装置の先端部を通すようにして光硬化性樹脂を注入するといった作業を行う場合に比べ、作業性の向上が図られる。
【００８１】
次に、パチンコ機１０の電気的構成について説明する。図１１は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【００８２】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【００８３】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【００８４】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００８５】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【００８６】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００８７】
その他、便宜上、各種中継基板等の図示は省略するが、入出力ポート５０５には、入賞口スイッチ２２１、カウントスイッチ２２３、第１契機対応ユニットスイッチ２２４ａ，２２４ｂ、第２契機対応口スイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【００８８】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００８９】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００９０】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００９１】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９２】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【００９３】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【００９４】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【００９５】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【００９６】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【００９７】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【００９８】
コマンドバッファは、主制御装置２６１から送信されるコマンドを一時的に記憶するリングバッファで構成されている。
【００９９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１００】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１０１】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１０２】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１０３】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１０４】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１０５】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１０６】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１０７】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１０８】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１０９】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１１０】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１１】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１１２】
以上詳述したように、本実施形態によれば、ベース側連結部４０２に形成されたベース側凹部４１１をカバー側連結部４０３により閉塞することで形成される封印部材４０１の内部空間４２１に対して光硬化性樹脂が注入され硬化されることにより、ベース側連結部４０２とカバー側連結部４０３とにかけて硬化性樹脂層４４１が形成されている。従って、当該硬化性樹脂層４４１により、ベース側連結部４０２とカバー側連結部４０３とが連結されることとなる。このため、ベース側連結部４０２及びカバー側連結部４０３の一方側を破壊することにより（例えば、カバー側連結部４０３の連結片４５１ｂを切断することにより）、基板ボックス２６３を開封することができたとしても、ベース側連結部４０２とカバー側連結部４０３との連結を解除することはできなくなっている。従って、ボックスベース２６３ａ及びボックスカバー２６３ｂのうち、破壊されていない連結部４０３、４０２を具備する方を、開封の痕跡が残らないように仕上げるためには、破壊された連結部４０２、４０３を破壊されていない連結部４０３、４０２から除去する必要がある。しかしながら、本実施形態によれば、破壊された連結部４０２、４０３を除去するためには、硬化性樹脂層４４１を除去するか破断するかしなければならないため、開封の痕跡が残らないように仕上げることは非常に困難である。従って、２つの基板ボックス２６３を用意した上で、ボックスベース２６３ａ及びボックスカバー２６３ｂについてそれぞれ開封の痕跡のないよう構成することは事実上不可能又は困難となる。その結果、取り替えたことが分からないように主制御装置２６１や主制御装置２６１に搭載されるＲＯＭ５０２等の部材を不正に交換するといった行為を抑止することができる。
【０１１３】
また、カバー側連結部４０３に形成された開口部４３１の開口面積は、ベース側凹部４１１の開口面積よりも小さく構成されている。このため、封印部材４０１の内部空間４２１がアンダーカット形状になる。従って、工具等を用いて封印部材４０１の内部空間４２１において形成された硬化性樹脂層４４１を除去しようとしても、硬化性樹脂層４４１のうちカバー側連結部４０３の裏側に位置する部位に関しては工具が届き難く、除去が不可能又は困難になる。結果として、硬化性樹脂層４４１を除去して基板ボックス２６３を不正に開放してしまうといった不正行為を防止することができる。尚、４つある封印部材４０１のうち上の３つに関しては、内部空間４２１において硬化性樹脂層４４１が形成された場合に、硬化性樹脂層４４１のうち上壁部４０２ａの裏側に位置する部位が接触不能又は困難となることから、同様の作用効果が奏される。
【０１１４】
さらに、カバー側連結部４０３は、その周縁部がベース側連結部４０２に覆われていることから、ベース側連結部４０２とカバー側連結部４０３との連接部において硬化性樹脂層４４１を左右方向に破断するといった行為を抑止することができる。また、工具等をベース側連結部４０２とカバー側連結部４０３との連接部に差し込むようにして硬化性樹脂層４４１を破断しようとした場合には、カバー側連結部４０３はもちろんのこと、カバー側連結部４０３を覆っているベース側連結部４０２にも傷が付きやすい。従って、基板ボックス２６３の不正開封を把握することができるといった作用効果を一層確実なものとすることができる。
【０１１５】
ちなみに、本実施形態の構成では、ボックスベース２６３ａの連結片４５１ａを切断しただけでは、基板ボックス２６３を開封するべく、ボックスベース２６３ａに対してボックスカバー２６３ｂを相対移動させようとしても、ベース側連結部４０２がボックスベース２６３ａの本体部に当接して前記相対移動が規制され、基板ボックス２６３を開封することが不可能となっている。つまり、開封の痕跡のないボックスカバー２６３ｂを得るためには、ボックスベース２６３ａとボックスカバー２６３ｂとが組付いている状態において、カバー側連結部４０３からベース側連結部４０２を除去する必要があるため、硬化性樹脂層４４１を除去したり破断したりする等の不正行為をより困難なものとすることができる。
【０１１６】
なお、上述した実施形態の記載内容に限定されず、例えば次のように実施してもよい。
【０１１７】
（ａ）上記実施形態では、ベース側連結部４０２とカバー側連結部４０３とにかけて形成される硬化性樹脂層４４１のみでベース側連結部４０２とカバー側連結部４０３とが連結されているが、特にこのような構成に限定されるものではない。
【０１１８】
以下、図１２に示す態様例について説明する。図１２（ａ）は封印部材７０１の背面図であり、図１２（ｂ）は図１２（ａ）のＸ−Ｘ線断面図である。図１２に示す封印部材７０１のベース側連結部７０２は、後方及び図１２（ａ）の右方に開口する略箱状をなしている。また、ベース側連結部７０２の内側には、後方に突出する被係合部７１１が設けられている。
【０１１９】
カバー側連結部７０３は、ボックスベース２６３ａとボックスカバー２６３ｂとの組付け状態において、ベース側連結部７０２の図１２（ａ）の右方側の開口を閉塞する閉塞部７２１と、閉塞部７２１から図１２（ａ）の左方に延び、ボックスベース２６３ａとボックスカバー２６３ｂとの組付け状態において、ベース側連結部７０２の被係合部７１１と係合する係合部７２２とを備えている。
【０１２０】
さらに、カバー側連結部４０３の閉塞部７２１とベース側連結部７０２とにより構成される凹部７３１に対して、透明又は半透明な光硬化性樹脂が充填され、硬化されることで、硬化性樹脂層７４１が形成されている。また、上記係合部７２２及び被係合部７１１は、硬化性樹脂層７４１に埋没状態となっており、接触不可能となっている。
【０１２１】
以上のように、係合部７２２と被係合部７１１とを係合させる構成を採用することで、ボックスカバー２６３ｂをボックスベース２６３ａから取外す方向に無理やり力を加えた際に硬化性樹脂層７４１が破断され、基板ボックス２６３が開封されてしまうといった事態を抑止することができる。従って、硬化性樹脂層７４１のみでベース側連結部７０２とカバー側連結部７０３とを連結する場合に比べ、連結状態の安定化を図ることができる。また、係合部７２２及び被係合部７１１を設けることにより、硬化性樹脂層７４１のうち除去しなければ連結部７０２、７０３の連結状態を解除することのできない部位が散在することとなり、硬化性樹脂層７４１を除去して基板ボックス２６３を開封するといった不正行為をより困難なものとすることができる。
【０１２２】
（ｂ）次に、図１３に示す態様例について説明する。図１３（ａ）は封印部材８０１を示す部分斜視図であり、図１３（ｂ）は図１３（ａ）の断面図である。図１３に示す封印部材８０１のベース側連結部８０２は上方に開口する有底状の穴部８１１を有している。また、カバー側連結部８０３は前後に貫通する孔部８２１を有している。ボックスベース２６３ａとボックスカバー２６３ｂとの組付け状態においては、ベース側連結部８０２の穴部８１１とカバー側連結部８０３の孔部８２１とが位置合わせされ（上下に連通し）、孔部８２１及び穴部８１１に対して連結部材としてのカシメピン８３１が差し込まれる。カシメピン８３１が孔部８２１及び穴部８１１に差し込まれることで、ボックスベース２６３ａに対するボックスカバー２６３ｂの取外し方向への相対移動が規制される。
【０１２３】
さらに、図１３の封印部材８０１は、穴部８１１及び孔部８２１に差し込まれたカシメピン８３１の前辺部及び後辺部と、ベース側連結部８０２及びカバー側連結部８０３（穴部８１１及び孔部８２１）との間に隙間８４１が形成される構成となっている。そして、当該隙間８４１に対して光硬化性樹脂が充填され、硬化されることで硬化性樹脂層８４２が形成されている。
【０１２４】
以上のような構成を採用することで、基本的に上記（ａ）と同様の作用効果が奏される。また、上記（ａ）のように係合部７２２及び被係合部７１１を設ける場合に比べ、ボックスベース２６３ａ及びボックスカバー２６３ｂの構成（金型の構成）の簡素化を図ることができる。
【０１２５】
（ｃ）また、図１３の封印部材８０１に関しては、孔部８２１（穴部８１１）からカバー側連結部８０３（ベース側連結部８０２）の外周面近傍にまで延びるスリット８５１が形成されている。当該スリット８５１はカシメピン８３１の厚みよりも幅狭に形成されている。そして、当該スリット８５１に対しても光硬化性樹脂が充填・硬化されることで硬化性樹脂層８４２が形成されている。このように、スリット８５１において形成された硬化性樹脂層８４２は工具等を使っても除去し難い。従って、硬化性樹脂層８４２を除去することで、封印部材８０１の連結状態が解除されてしまうといった行為を抑制することができる。また、スリット８５１がカバー側連結部８０３（ベース側連結部８０２）の外周面近傍にまで延びている、すなわち、カバー側連結部８０３（ベース側連結部８０２）に薄肉部が形成されているため、スリット８５１において形成された硬化性樹脂層８４２を無理やり除去しようとすると、カバー側連結部８０３（ベース側連結部８０２）の薄肉部に亀裂等が発生しやすくなっている。従って、ボックスベース２６３ａ及びボックスカバー２６３ｂを無傷のまま基板ボックス２６３を開封するといった行為をより確実に抑止することができ、結果的に、基板ボックス２６３の不正開封を確実に把握することができる。尚、スリット８５１に代えて、Ｖ字状、コ字状等の溝部を形成する場合にも同様の作用効果が奏される。
【０１２６】
尚、カバー側連結部８０３（ベース側連結部８０２）に対してスリット８５１が形成される場合であっても、スリット８５１に光硬化性樹脂が注入・硬化されて硬化性樹脂層８４２が形成されることで、カバー側連結部８０３（ベース側連結部８０２）の強度を確保することができる。つまり、通常時には損傷等が起こり難く、硬化性樹脂層８４２を除去しようとする際には損傷等が起こり易いという相反する効果を一挙に奏し得る。
【０１２７】
（ｄ）さらに、上記（ｃ）のカシメピン８３１に代えて、ねじによりベース側連結部８０２とカバー側連結部８０３とを連結することとしてもよい。すなわち、図１４（ａ）に示すように、ベース側連結部８０２に形成される穴部８１１、及びカバー側連結部に形成される孔部（図示略）の左右の壁部に対して雌ねじが形成されたねじ受け部８６１を形成し、かかるねじ受け部８６１に対してねじ８６２を螺着する。その後、ねじ８６２の前後の側部とベース側連結部８０２及びカバー側連結部との間に形成される隙間８６３に対して、光硬化性樹脂を充填・硬化させることで硬化性樹脂層８６４を形成する。当該構成を採用した場合においても、基本的に上記（ｃ）と同様の作用効果が奏される。
【０１２８】
また、例えば、図１４（ｂ）に示すように、ねじ８７１の先端部をベース側連結部８０２の上面に形成されたねじ受け部８７２に螺着するとともに、ねじ８７１の頭部８７１ａとベース側連結部８０２とによりカバー側連結部８０３を挟持固定するといった構成を採用してもよい。この場合、ねじ８７１の本体部８７１ｂと、カバー側連結部８０３とを当接させなくても、ベース側連結部８０２とカバー側連結部８０３とをねじ８７１により連結することができる。このため、ねじ８７１の前側（図の手前側）に形成される隙間と後側（図の奥側）に形成される隙間とを連通させることができる。従って、光硬化性樹脂を前後の隙間の一方側に注入することで、他方側にも充填することができ、硬化性樹脂層８６４を形成する際の作業性の向上が図られる。また、ねじ８７１（本体部７７１ｂ）の回り全体に硬化性樹脂層８６４を形成することができ、ねじ８７１を取外すべく硬化性樹脂層８６４を除去するといった行為をより困難なものとすることができる。
【０１２９】
尚、ねじ８７１としては、螺着後に工具係合部（十字穴等）が形成された部位を除去することのできる破断ねじや、取外す方向に回すことのできないワンウェイねじを採用することが望ましい。さらに、ねじ８７１を封印部材８０１に没入させ、ペンチ等で抜き取られないように構成することが望ましく、ねじ８７１を硬化性樹脂層８６４に埋没させ、接触不能とすることがより望ましい。
【０１３０】
（ｅ）上記実施形態では、ボックスベース２６３ａとボックスカバー２６３ｂとを前後に当接させた状態で、ボックスベース２６３ａに対しボックスカバー２６３ｂをスライドさせることで基板ボックス２６３を組み付けているが、ボックスベース２６３ａとボックスカバー２６３ｂとを前後に当接させるだけで基板ボックス２６３が組み付けられる構成を採用してもよい。
【０１３１】
この場合、例えば、図１５、図１６に示す封印部材９０１を採用してもよい。すなわち、封印部材９０１に対して、ベース側連結部９０２とカバー側連結部９０３とを離間させるように力を加えることで、ベース側連結部９０２やカバー側連結部９０３が硬化性樹脂層９１１から剥離してしまうといった事態を防止するべく、ベース側連結部９０２に対して係合部９２１を設けるとともに、カバー側連結部９０３に対して基板ボックス２６３の組付け状態において係合部９２１と係合する被係合部９３１を設けることとしてもよい。さらに、係合部９２１と被係合部９３１との係合部位を硬化性樹脂層９１１に埋没させた場合、硬化性樹脂層９１１を除去し難くするといった作用効果がより確実に奏される。尚、図１５に示す封印部材９０１に関しては、係合部９２１及び被係合部９３１が一対で設けられ、一対の係合部９２１間の隙間にも硬化性樹脂層９１１が形成されている。このため、係合部９２１を撓ませ、係合部９２１と被係合部９３１との係合状態を解除することができなくなっている。さらに、一対の係合部９２１間の距離は短く、当該部位に形成された硬化性樹脂層９１１は除去し難くなっている。また、図１６の封印部材９０１に関しては、係合部９２１および被係合部９３１は一つずつであるが、ベース側連結部９０２とカバー側連結部９０３との連接部にまで硬化性樹脂層９１１が形成されている。従って、硬化性樹脂層９１１を除去して基板ボックス２６３を開封しようとした場合には、硬化性樹脂９１１を大量に除去する必要がある。このため、硬化性樹脂９１１を除去するといった不正行為を抑止する効果が奏される。
【０１３２】
（ｆ）上記実施形態において、封印部材４０１（内部空間４２１）の形状は特に限定されるものではないが、内部空間４２１において形成された硬化性樹脂層４４１を除去し難くさせるといった観点からすると、内部空間４２１の断面形状は複雑である方が望ましい。例えば、星型、波型、渦巻き型等が挙げられる。但し、１つの封印部材４０１に対して１つの（一続きの）内部空間４２１が形成されることが望ましく、例えば、一つの封印部材４０１に形成された複数の内部空間４２１にそれぞれ光硬化性樹脂を注入する必要がある場合に比べ、作業性の向上を図ることができる。
【０１３３】
（ｇ）上記実施形態では、光硬化性樹脂により硬化性樹脂層４４１が形成されているが、その他の硬化性樹脂により硬化性樹脂層４４１を形成してもよい。つまり、当初液状又はペースト状をなし、充填後、硬化する性質を有する樹脂であればよい。例えば、紫外線を照射することで硬化する紫外線硬化性樹脂や、基板ボックス２６３（封印部材４０１）に悪影響を与えないものであれば、熱硬化性樹脂や熱可塑性樹脂を採用してもよい。
【０１３４】
尚、上記実施形態では言及しなかったが、「光硬化性樹脂」としては、例えば、エポキシ系、オキセタン系等が挙げられる。また、「紫外線硬化性樹脂」としては、硬化機構が紫外線にのみよるものに限られるものではなく、空気中の湿度による硬化、金属イオンによる嫌気性硬化、若干の加熱による硬化、硬化触媒による硬化などの複合硬化によるものであってもよい。加えて、熱硬化性樹脂としては、例えばフェノール樹脂、メラニン樹脂、ユリア樹脂等が挙げられる。熱可塑性樹脂としては、ポリエチレン、ポリプロピレン等のポリオレフィン、ポリエチレンテレフタレート等のポリエステル、ポリアミド、アクリル、ＡＢＳ等が挙げられる。
【０１３５】
（ｈ）上記実施形態では特に言及しなかったが、例えば、有色透明の光硬化性樹脂を使用し、硬化性樹脂層４４１の色を、基板ボックス２６３の本体部と同じく無色透明な材料により構成されるベース側連結部４０２及びカバー側連結部４０３の色と異ならせることとしてもよい。この場合、ベース側連結部４０２及びカバー側連結部４０３と、硬化性樹脂層４４１との境界部が明確に表れるため、例えば、不正行為者が硬化性樹脂層４４１を除去した際に連結部４０２、４０３が削れた場合、再度、光硬化性樹脂を注入しても、光硬化性樹脂が連結部４０２、４０３の削れた部位に入り込むこととなる。従って、このような部位の有無を確認することにより、不正開封を把握することができる。結果として、封印部材４０１が削れたり損傷したりしたことをより発見し易くすることができる。また、硬化性樹脂層４４１と連結部４０２、４０３との色が異なり、かつ、連結部４０２、４０３が透明であることから、封印部材４０１の外側から、封印部材４０１の内部空間４２１に対して確実に光硬化性樹脂が充填されているか否かを目視で確認することができ、上記作用効果が奏される基板ボックス２６３を確実に得ることができる。
【０１３６】
（ｉ）主制御装置２６１を収容する基板ボックス２６３のみならず、その他の制御装置を収容する基板ボックスに関しても、基板ボックス２６３と同様にして封印部材４０１を具備する構成としてもよい。
【０１３７】
（ｊ）上記実施形態とは異なるタイプのパチンコ機として実施してもよい。また、パチンコ機以外にも、アレンジボール機、それに類する雀球等の各種遊技機、回胴式遊技機としてのスロットマシンや、スロットマシンとパチンコ機とを融合した形式の遊技機などとして実施してもよい。
【０１３８】
［付記］
上記実施形態から把握できる技術的思想について、以下に記載する。
【０１３９】
遊技機の一種として、パチンコ遊技機やスロットマシン等が知られている。これらの遊技機は、ＣＰＵ（中央処理装置）や、遊技に関わる制御プログラムが記憶されたＲＯＭ等の電子部品（制御手段）が実装された制御基板を備えており、当該制御基板に設けられた各制御手段によって一連の遊技が制御されている。
【０１４０】
この種の遊技機においては、不正な利益を得ることを目的として、制御基板を不正に取り外して当該基板のＲＯＭ（ＣＰＵやＲＯＭが１チップ化されている場合は当該チップ）
を交換し遊技内容を変更したり、リード線等により外部から不正な電気信号を制御基板に入力させたりする等、制御手段や制御基板に対しての不正行為が数多く報告されており、各種の不正対策が検討されている。例えば、基板ボックスに封印構造（いわゆる、カシメ構造）を持たせて、基板ボックスの開封時には破壊等による開封履歴（開封の痕跡）を残すようにする等の不正対策が採用されている（例えば、特開２００３−１８０９１７号公報参照）。
【０１４１】
一般的に、封印構造を備える基板ボックスは、制御基板を収容するボックスベースと、ボックスベースの開口部を閉塞するボックスカバーと、ボックスベースに設けられたベース側連結部と、ボックスカバーに設けられたカバー側連結部とを備えている。そして、ボックスベースとボックスカバーとを組付けると、ベース側連結部に形成された係止凹部とカバー側連結部に形成された係止孔とが位置合わせされ、係止孔及び係止凹部に対して、ピンやねじ等により構成されるカシメ部材を差込む（圧入する、螺着する）ことで、ボックスベースとボックスカバーとが連結される構成となっている。
【０１４２】
さらに、係止孔及び係止凹部に差込まれたカシメ部材は、ベース側連結部及びカバー側連結部のうち少なくとも一方側を破壊（除去）しない限り取外し不可能に構成されている。つまり、基板ボックスを開封する際には、基板ボックスに対して所定の痕跡が形成されることから、不正開封された場合には、早期に且つ容易に発見することができる。
【０１４３】
しかしながら、上記の構成を有する基板ボックスを２つ用意し、そのうちの一方の基板ボックスに関しては、カバー側連結部を破壊することで当該基板ボックスを開封し、他方の基板ボックスに関しては、ベース側連結部を破壊することで当該基板ボックスを開封した場合、それぞれ無傷の（開封に起因する痕跡のない）ボックスベース及びボックスカバーを得ることができてしまう。従って、上記のようにして得たボックスベース及びボックスカバーに不正な制御基板（例えば、ＲＯＭが取替えられた制御基板）を収容し、基板ボックスごと交換するといった不正行為が行われた場合には、外観上、制御基板が取り替えられたことが分からなくなるため、当該不正行為の発見が非常に困難になってしまうおそれがある。
【０１４４】
なお、上記課題は、パチンコ機に限らず、同様の基板ボックス構造を有する他の遊技機にも該当する問題である。
【０１４５】
本発明は、上記例示した問題点等を解決するためになされたものであり、その目的は、基板ボックスを備えた遊技機において、制御基板に関する不正行為をより確実に把握することのできる遊技機を提供することにある。
【０１４６】
手段１．各種制御手段を具備する制御基板を収容するボックスベースと、前記ボックスベースの開口部を覆うボックスカバーと、前記ボックスベースと前記ボックスカバーとを連結するための連結手段とを具備する基板ボックスを備え、
前記連結手段は、前記ボックスベースに設けられたベース側連結部と、前記ボックスカバーに設けられたカバー側連結部とを備え、
前記ボックスベースと前記ボックスカバーとの組付け状態において、前記ベース側連結部と前記カバー側連結部とが位置合わせされるとともに、当該位置合わせされたベース側連結部とカバー側連結部とにかけて、硬化性樹脂が硬化されることで形成された硬化性樹脂層が設けられることにより、前記ベース側連結部と前記カバー側連結部とが連結されていることを特徴とする遊技機。
【０１４７】
手段１によれば、位置合わせされたベース側連結部とカバー側連結部とにかけて硬化性樹脂層が形成されることにより、ベース側連結部とカバー側連結部とが連結されている。従って、ベース側連結部及びカバー側連結部の一方側を破壊することにより、基板ボックスを開封することができたとしても、ベース側連結部とカバー側連結部との連結を解除することはできなくなっている。このため、ボックスベース及びボックスカバーのうち、破壊されていない連結部を具備する方を、開封の痕跡が残らないように仕上げるためには、破壊された連結部を破壊されていない連結部から除去する必要がある。しかしながら、本手段によれば、破壊された連結部を除去するためには、硬化性樹脂層を除去するか破断するかしなければならないため、開封の痕跡が残らないように仕上げることは非常に困難である。従って、２つの基板ボックスを用意した上で、ボックスベース及びボックスカバーについてそれぞれ開封の痕跡のないように構成することは、事実上不可能又は困難となる。その結果、取り替えたことが分からないように制御基板やＲＯＭ等の制御手段を不正に交換するといった行為を抑止することができる。
【０１４８】
尚、硬化性樹脂とあるのは、当初液状又はペースト状をなし、充填後、硬化する性質を有する樹脂をいう。硬化性樹脂としては、
（１）光硬化性樹脂…レーザ光等の光を照射することで硬化する樹脂、
（２）紫外線硬化性樹脂…紫外線を照射することで硬化する樹脂、
（３）その他…基板ボックス（連結手段）に悪影響を与えないものであれば、熱硬化性樹脂や熱可塑性樹脂、
等が挙げられる。
【０１４９】
「光硬化性樹脂」としては、例えば、エポキシ系、オキセタン系等が挙げられる。「紫外線硬化性樹脂」としては、硬化機構が紫外線にのみよるものに限られるものではなく、空気中の湿度による硬化、金属イオンによる嫌気性硬化、若干の加熱による硬化、硬化触媒による硬化などの複合硬化によるものであってもよい。熱硬化性樹脂としては、例えばフェノール樹脂、メラニン樹脂、ユリア樹脂等が挙げられる。熱可塑性樹脂としては、ポリエチレン、ポリプロピレン等のポリオレフィン、ポリエチレンテレフタレート等のポリエステル、ポリアミド、アクリル、ＡＢＳ等が挙げられる。
【０１５０】
尚、１つの基板ボックスに対して連結手段が複数設けられ、複数ある連結手段のうち一部において対応するベース側連結部及びカバー側連結部に対して硬化性樹脂層が形成されることで、当該一部の連結手段が連結されるとともに、未使用の連結手段が残存することとしてもよい。この場合、例えば、硬化性樹脂層により連結された連結手段を破壊することで基板ボックスを開封した場合であっても、未使用の連結手段を利用して、再度ボックスベースとボックスカバーとを連結（基板ボックスを封印）することができる。従って、基板ボックスから制御基板を取出して点検を行ったり、故障した制御基板を単体で交換したりすることができる。
【０１５１】
加えて、ベース側連結部及びカバー側連結部は、破断することによって、当該ベース側連結部及びカバー側連結部が対応するボックスベース又はボックスカバーから離脱する破断部を備えるとともに、未使用の連結手段に対して新たに硬化性樹脂層を形成することで、ボックスベースとボックスカバーとを連結可能とする構成を採用してもよい。尚、破断部は、基板ボックスを開封する際に、工具を用いて切断したり、手で折り取ったりすることができるように、基板ボックスに予め形成される部位である。尚、破断部を破断して基板ボックスを開封する場合、破断部の破断された跡が「所定の痕跡」に相当する。
【０１５２】
また、ボックスベース及びボックスカバーはそれぞれ１つの部材により構成されてもよいし、複数の部材により構成されてもよい。さらに、連結手段は、ボックスベース及びボックスカバーに対して取外し不可能に設けられていればよく、ボックスベース及びボックスカバーと一体的に設けられてもよいし、ボックスベース及びボックスカバーとは別の部材として構成されてもよい。さらに、制御手段としては、制御プログラムや固定値データを記憶したＲＯＭ、ＲＯＭ内に記憶される制御プログラムの実行に際して各種のデータ等を一時的に記憶するメモリであるＲＡＭ、及び各種回路等を内蔵した１チップマイコンとしてのＣＰＵ等が挙げられる。
【０１５３】
加えて「前記ベース側連結部と前記カバー側連結部とにかけて形成される前記硬化性樹脂層は、前記ベース側連結部及び前記カバー側連結部のうち少なくとも一方の連結部により覆われていること」としてもよい。この場合、ベース側連結部とカバー側連結部とを連結している硬化性樹脂層を破断して基板ボックスを開封しようとしても、破断に際して、ベース側連結部及びカバー側連結部のうち硬化性樹脂層を覆っている連結部に傷が付きやすい。従って、硬化性樹脂層を覆っている連結部を具備するベース側連結部、カバー側連結部に対して開封の痕跡が残らないようにすることがより困難となり、上記手段１の作用効果がより確実に奏されることとなる。
【０１５４】
手段２．前記ベース側連結部及び前記カバー側連結部により有底状の凹部が形成され、前記凹部に前記硬化性樹脂が充填されることで前記硬化性樹脂層が形成されることを特徴とする手段１に記載の遊技機。
【０１５５】
手段２によれば、硬化性樹脂層を形成する際に硬化性樹脂の流出を抑止することができ、硬化性樹脂を確実にかつ比較的容易に充填させることができる。また、硬化性樹脂層が凹部で囲まれることから、硬化性樹脂層を削ったり破断したりするといった行為を抑制することができる。尚、硬化性樹脂層を除去し難くさせるといった観点からすると、凹部の断面形状は複雑である方が望ましい。例えば、星型、波型、渦巻き型等が挙げられる。但し、１つの連結部に対して１つの（一続きの）凹部が形成されることが望ましく、例えば、一つの連結手段に形成された複数の凹部にそれぞれ硬化性樹脂を注入する必要がある場合に比べ、作業性の向上を図ることができる。
【０１５６】
手段３．前記連結手段は、前記凹部内に設置される隔壁部を備え、前記硬化性樹脂層は、前記連結手段を前記凹部の開口側から見て、少なくとも前記隔壁部の奥側に形成されていることを特徴とする手段２に記載の遊技機。
【０１５７】
手段３によれば、隔壁部の存在によって、硬化性樹脂層をより除去し難くすることができる。
【０１５８】
手段４．前記ベース側連結部及び前記カバー側連結部の一方側に形成された係合部と、他方側に形成され、前記ボックスベースと前記ボックスカバーとの組付け状態において前記係合部と係合する被係合部とを備え、前記係合部と前記被係合部との係合状態においては、前記ボックスベースに対する前記ボックスカバーの取外し方向への変位が規制される構成であって、
前記係合部及び前記被係合部は、少なくともその係合部位が、前記硬化性樹脂層に埋没していることを特徴とする手段１乃至３のいずれかに記載の遊技機。
【０１５９】
手段４によれば、ボックスカバーをボックスベースから取外す方向に無理やり力を加えた場合に硬化性樹脂層が破断され、基板ボックスが開封されてしまうといった事態を抑止することができる。従って、硬化性樹脂層のみでベース側連結部とカバー側連結部とを連結する場合に比べ、連結状態の安定化を図ることができる。尚、係合部及び被係合部が、上記手段２に記載の凹部に内側に設けられたり、上記手段３に記載の隔壁部の奥側に設けられたりする場合には、硬化性樹脂層を除去し難くするといった作用効果が一層確実に奏される。
【０１６０】
手段５．前記ベース側連結部に形成されたベース側開口部と、前記カバー側連結部に形成されたカバー側開口部とに対して、前記ボックスベースに対する前記ボックスカバーの取外し方向に対して交差する方向に連結部材が差し込まれるとともに、
前記ベース側開口部及び前記カバー側開口部と前記連結部材との間に形成される隙間に前記硬化性樹脂が注入されて硬化されることで、前記硬化性樹脂層が形成されることを特徴とする手段１乃至４のいずれかに記載の遊技機。
【０１６１】
手段５によれば、基本的に上記手段４と同様の作用効果が奏される。また、上記手段４のように係合部及び被係合部を設ける場合に比べ、ボックスベース及びボックスカバーの構成（金型の構成）の簡素化を図ることができる。
【０１６２】
尚、連結部材としてはベース側連結部及びカバー側連結部に螺着されるねじや、両連結部に圧入されるピン等が挙げられる。加えて、連結部材としてねじを採用する場合、螺着後に工具係合部（十字穴等）が形成された部位を除去することのできる破断ねじや、取外す方向に回すことのできないワンウェイねじを採用することが望ましい。さらに、ねじやピンをベース側開口部及びカバー側開口部に没入させ、ペンチ等で抜き取られないように構成することが望ましく、ねじやピンを硬化性樹脂層に埋没させ、接触不能とすることがより望ましい。
【０１６３】
手段６．前記ベース側連結部及び前記カバー側連結部により凹部を有する略箱状の前記連結手段が構成され、
前記連結手段は、前記凹部の周縁部から当該連結手段の外周面近傍にまで延びるスリット又は溝部が形成されることで構成された薄肉部を備え、
前記凹部及び前記スリット又は溝部に対して前記硬化性樹脂が充填され、硬化されることで、前記硬化性樹脂層が形成されることを特徴とする手段１乃至５のいずれかに記載の遊技機。
【０１６４】
手段６によれば、スリット等において形成された硬化性樹脂層は工具等を使っても除去し難い。従って、硬化性樹脂層を除去することで、連結手段の連結状態が解除されてしまうといった行為を抑制することができる。また、スリット等が連結手段の外周面近傍にまで延びている、すなわち、連結手段に薄肉部が形成されているため、スリット等において形成された硬化性樹脂層を無理やり除去しようとすると、連結手段の薄肉部に亀裂等が発生しやすくなっている。従って、ボックスベース及びボックスカバーを無傷のままで基板ボックスを開封するといった行為をより困難なものとすることができる。
【０１６５】
尚、本手段のように連結手段に対してスリット等が形成される場合であっても、スリット等に硬化性樹脂が注入・硬化されて硬化性樹脂層が形成されることで、連結手段の強度を確保することができる。つまり、通常時には損傷等が起こり難く、硬化性樹脂層を除去しようとするときは損傷等が起こり易いという相反する効果を一挙に奏し得る。また、スリット等を複数箇所に形成したり、ベース側連結部及びカバー側連結部の両方にスリット等を形成したりしてもよい。この場合、上記作用効果が一層確実に奏される。
【０１６６】
手段７．前記硬化性樹脂層は、前記ベース側連結部及び前記カバー側連結部とは色が異なることを特徴とする手段１乃至６のいずれかに記載の遊技機。
【０１６７】
手段７によれば、不正行為者が硬化性樹脂層を除去した際に連結手段が削れた場合、再度、硬化性樹脂を注入しても、硬化性樹脂が連結手段の削れた部位に入り込むこととなる。従って、各連結部が削れたり損傷したりしたことを発見し易くすることができ、このような部位の有無を確認することにより、不正開封を確実に把握することができる。また、例えば、各連結部を透明な材料により構成した上で、硬化性樹脂の色を連結部の色と異ならせる場合には、連結部に対して的確に硬化性樹脂層が形成されているか（凹部等に硬化性樹脂が確実に充填されているか）を目視で確認することができ、上記手段１等の作用効果が奏される基板ボックスを確実に得ることができる。尚、基板ボックスの本体部に関しては、内部に収容した制御基板を外部から点検することができるように透明な材料により構成されることが望ましい。また、前記硬化性樹脂層及び前記連結手段（ベース側連結部及びカバー側連結部）のうち一方は光を透過させにくい材料により構成されることが望ましい。
【０１６８】
以下に、上記各手段が適用される各種遊技機の基本構成を示す。
【０１６９】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０１７０】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０１７１】
Ｃ．上記各手段における前記遊技機、又は、上記各弾球遊技機は、パチンコ機又はパチンコ機に準ずる遊技機であること。
【０１７２】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０１７３】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０１７４】
１０…パチンコ機、２６１…制御基板としての主制御装置、２６３…基板ボックス、２６３ａ…ボックスベース、２６３ｂ…ボックスカバー、４０１…連結手段としての封印部材、４０２…ベース側連結部、４０３…カバー側連結部、４１１…ベース側凹部、４２１…凹部としての内部空間、４３１…開口部、４４１…硬化性樹脂層。
【図１】
0005605465.tif 000002
【図２】
0005605465.tif 000003
【図３】
0005605465.tif 000004
【図４】
0005605465.tif 000005
【図５】
0005605465.tif 000006
【図６】
0005605465.tif 000007
【図７】
0005605465.tif 000008
【図８】
0005605465.tif 000009
【図９】
0005605465.tif 000010
【図１０】
0005605465.tif 000011
【図１１】
0005605465.tif 000012
【図１２】
0005605465.tif 000013
【図１３】
0005605465.tif 000014
【図１４】
0005605465.tif 000015
【図１５】
0005605465.tif 000016
【図１６】
0005605465.tif 000017